(57)【要約】      （修正有）【課題】食器類の裏面の一部又は全部に形成された凹凸面による手の滑り止め効果により、食器類を強く掴むことなく、手からの食器類の離脱を防ぐことができ、それだけ、使用の安全性、利便性及び快適性を高めることができる食器類を提供する。【解決手段】飯碗や飯皿等のご飯を盛る食器類１において、食器類１のご飯を盛る上面１ａの一部又は全部が凹凸面Ｔに形成されると共に食器類１の手で持ち上げる裏面１ｂの一部又は全部が凹凸面Ｓに形成されてなる。【選択図】図３
0003211575.tif 000002
【実用新案登録請求の範囲】
【請求項１】
飯碗や飯皿等のご飯を盛る食器類において、上記食器類のご飯を盛る上面の一部又は全部が凹凸面に形成されると共に該食器類の手で持ち上げる裏面の一部又は全部が凹凸面に形成されてなることを特徴とする食器類。
【請求項２】
上記食器類は、陶器、磁器、漆器、ガラス製、金属製、合成樹脂製、或いは、木製であることを特徴とする請求項１記載の食器類。
【考案の詳細な説明】
【技術分野】
【０００１】
本考案は、飯碗や飯皿等のご飯を盛る食器類に関するものである。
【背景技術】
【０００２】
従来、この種の食器類として、和食に用いられる飯碗、いわゆる、ご飯茶碗や、洋食に用いられる飯皿、いわゆる、ディッシュ等が知られている。
【０００３】
そして、上記食器類の内部に多数の突起部を設け、ご飯などの食物が付着することをなくし、きわめて食べやすい食器類として使用する構造が知られている。
【先行技術文献】
【特許文献】
【０００４】
【特許文献１】実用新案登録第３０８０４７９号
【特許文献２】実用新案登録第３０７２７４４号
【特許文献３】実用新案登録第３１８３３７４号
【考案の概要】
【考案が解決しようとする課題】
【０００５】
しかしながら上記従来構造の場合、多数の突起部によりご飯の付着を防ぐことができるものの、箸やフォーク、スプーンを用いてご飯を食する際、箸等の先端部が食器類の上面の突起部に複数回摺接することとなり、それだけ、食器類の裏面を確実に手で掴持する必要があり、ところが、食器類の手で持ち上げる裏面は平滑面であるから、手が滑り易く、食器類を離脱してしまう恐れがあり、使用の安全性、利便性及び快適性を低下させることがあるという不都合を有している。
【課題を解決するための手段】
【０００６】
本考案はこれらの不都合を解決することを目的とするもので、本考案のうち、請求項１記載の考案は、飯碗や飯皿等のご飯を盛る食器類において、上記食器類のご飯を盛る上面の一部又は全部が凹凸面に形成されると共に該食器類の手で持ち上げる裏面の一部又は全部が凹凸面に形成されてなることを特徴とする食器類にある。
【０００７】
又、請求項２記載の考案は、上記食器類は、陶器、磁器、漆器、ガラス製、金属製、合成樹脂製、或いは、木製であることを特徴とするものである。
【考案の効果】
【０００８】
本考案は上述の如く、請求項１記載の考案にあっては、飯碗や飯皿等の食器類のご飯を盛る上面の一部又は全部が凹凸面に形成され、かつ、食器類の手で持ち上げる裏面の一部又は全部が凹凸面に形成されているから、ご飯を盛る食器類の上面の一部又は全部に形成された凹凸面によりご飯の飯粒の付着を防ぐことができ、かつ、食器類の手で持ち上げる裏面の一部又は全部に形成された凹凸面により手の滑り止め効果を得ることができ、箸やフォーク、スプーンを用いてご飯を食する際、箸等の先端部が食器類の上面の凹凸面に複数回摺接したとしても、食器類の裏面の一部又は全部に形成された凹凸面による手の滑り止め効果により、食器類を強く掴むことなく、手からの食器類の離脱を防ぐことができ、それだけ、使用の安全性、利便性及び快適性を高めることができる。
【０００９】
又、請求項２記載の考案にあっては、上記食器類は、陶器、磁器、漆器、ガラス製、金属製、合成樹脂製、或いは、木製であるから、材質の相違により食器類の風合いを活かすことができ、和風、洋風、中華風など多彩に演出することができ、一層使用の快適性を高めることができる。
【図面の簡単な説明】
【００１０】
【図１】本考案の実施の第一形態例の全体正面図である。
【図２】本考案の実施の第一形態例の全体平面図である。
【図３】本考案の実施の第一形態例の正断面図である。
【図４】本考案の実施の第一形態例の部分拡大断面図である。
【図５】本考案の実施の第一形態例の部分拡大平面図である。
【図６】本考案の実施の第二形態例の部分拡大断面図である。
【図７】本考案の実施の第二形態例の部分拡大平面図である。
【図８】本考案の実施の第三形態例の部分拡大断面図である。
【図９】本考案の実施の第三形態例の部分拡大平面図である。
【考案を実施するための形態】
【００１１】
図１乃至図９は本考案の実施の形態例を示し、図１乃至図５は第一形態例、図６、図７は第二形態例、図８、図９は第三形態例である。
【００１２】
図１乃至図５の第一形態例において、１は食器類であって、飯碗や飯皿等のご飯Ｗを盛る食器類であり、この場合、ご飯Ｗを盛る飯椀となっている。
【００１３】
そして、図１、図２、図３の如く、上記飯椀としての食器類１のご飯Ｗを盛る上面１ａの一部又は全部が凹凸面Ｔに形成され、かつ、食器類１の手で持ち上げる裏面１ｂの一部又は全部が凹凸面Ｓに形成されている。
【００１４】
この場合、図４、図５の如く、上記凹凸面Ｔは所定のピッチＰ及び直径Ｄで突設された複数個の半球状の凸部Ｔ１・・と平滑な残部Ｔ２とで形成され、かつ、上記凹凸面Ｓは所定のピッチＰ及び直径Ｄで突設された複数個の半球状の凸部Ｓ１・・と平滑な残部Ｓ２とで形成されている。
【００１５】
また、この場合、上記食器類１は合成樹脂製であり、半球状の凸部Ｔ１及び半球状の凸部Ｓ１はいわゆるエンボス加工やシボ加工、その他の凹凸面形成加工により成形されている。
【００１６】
なお、食器類１は合成樹脂製に限らず、陶器、磁器、漆器、ガラス製、金属製、或いは、木製のものにも適用することができる。
【００１７】
この実施の形態例は上記構成であるから、図４、図５の如く、飯碗や飯皿等の食器類１のご飯Ｗを盛る上面１ａの一部又は全部が凹凸面Ｔに形成され、かつ、食器類１の手で持ち上げる裏面１ｂの一部又は全部が凹凸面Ｓに形成されているから、ご飯Ｗを盛る食器類１の上面１ａの一部又は全部に形成された凹凸面Ｔによりご飯Ｗの飯粒Ｗ１の付着を防ぐことができ、かつ、食器類１の手で持ち上げる裏面１ｂの一部又は全部に形成された凹凸面Ｓにより手の滑り止め効果を得ることができ、箸やフォーク、スプーンを用いてご飯Ｗを食する際、箸等の先端部が食器類１の上面１ａの凹凸面Ｔに複数回摺接したとしても、食器類１の裏面１ｂの一部又は全部に形成された凹凸面Ｓによる手の滑り止め効果により、食器類１を強く掴むことなく、手からの食器類１の離脱を防ぐことができ、それだけ、使用の安全性、利便性及び快適性を高めることができる。
【００１８】
又、この場合、食器類１として、合成樹脂製に限らず、陶器、磁器、漆器、ガラス製、金属製、或いは、木製のものに適用することにより材質の相違により食器類１の風合いを活かすことができ、和風、洋風、中華風など多彩に演出することができ、一層使用の快適性を高めることができる。
【００１９】
図６、図７の第二形態例は別例構造を示し、この場合、上記凹凸面Ｔは所定のピッチＰ及び直径Ｄで突設された複数個の半球凹面状の凹部Ｔ３・・と平滑な残部Ｔ４とで形成され、かつ、上記凹凸面Ｓは所定のピッチＰ及び直径Ｄで突設された複数個の半球凹面状の凹部Ｓ３・・と平滑な残部Ｓ４とで形成されている。
【００２０】
この第二形態例にあっても、上記第一形態例と同様な作用効果を得ることができる。
【００２１】
図８、図９の第三形態例は別例構造を示し、この場合、上記凹凸面Ｔは所定のピッチＰ及び直径Ｄで突設された複数個の半楕円球状の凸部Ｔ５・・と平滑な残部Ｔ６とで形成され、かつ、上記凹凸面Ｓは所定のピッチＰ及び直径Ｄ１・Ｄ２で突設された複数個の半楕円球状の凸部Ｓ５・・と平滑な残部Ｓ６とで形成されている。
【００２２】
この第三形態例にあっても、上記第一形態例と同様な作用効果を得ることができる。
【００２３】
尚、本考案は上記実施の形態例に限られるものではなく、例えば、食器類１の材質や、凹凸面Ｔ、Ｓの大きさや形態は適宜変更して設計されるものである。
【００２４】
例えば、上記凹凸面Ｔ及び凹凸面Ｓ形状は、半球状に限らず、棒状や線状、縞状、渦状などのものも適用可能である。
【００２５】
以上、所期の目的を充分達成することができる。
【符号の説明】
【００２６】
Ｗ    ご飯
Ｔ    凹凸面
Ｓ    凹凸面
１    食器類
１ａ    上面
１ｂ    裏面
【図１】
0003211575.tif 000003
【図２】
0003211575.tif 000004
【図３】
0003211575.tif 000005
【図４】
0003211575.tif 000006
【図５】
0003211575.tif 000007
【図６】
0003211575.tif 000008
【図７】
0003211575.tif 000009
【図８】
0003211575.tif 000010
【図９】
0003211575.tif 000011